(57)【特許請求の範囲】
【請求項１】
少なくとも一面が開口した第１の箱体と、該第１の箱体の開口端の一辺に延設される開閉可能な蓋部を有する内箱と、
該内箱を収納可能な第２の箱体と、該第２の箱体の開口端に折り線を介して開閉可能に延設されたフラップと、を有する外箱と、
から成る二重包装ケースにおいて、
内箱側面を挟んで前記蓋部の自由端と重なる前記外箱の側面上端と、前記フラップと、に跨って二本の切り込み線を形成することにより、前記フラップを開けたとき前記フラップの折り曲げ方向とは反対側に折り曲げ可能な逆折り部が設けられたことを特徴とする二重包装ケース。
【請求項２】
前記内箱は、前記蓋部の自由端と重なる前記第１の箱体の開口端に形成され前記蓋部の開放を規制可能な差し込み片を備え、
前記逆折り部は、前記差し込み片と重なる位置に前記差し込み片より大きく形成されたものであり、
且つ、前記逆折り部には指掛け孔が形成されたことを特徴とする請求項１に記載の二重包装ケース。
【請求項３】
前記指掛け孔は、前記逆折り部において前記外箱上端と前記フラップとに跨って形成されたことを特徴とする請求項２に記載の二重包装ケース。
【請求項４】
前記逆折り部は略矩形状であり、前記折り線と垂直な二辺を前記切り込み線とすることを特徴とする請求項１〜３のいずれかに記載の二重包装ケース。
【発明の詳細な説明】
【技術分野】
【０００１】
本発明は、例えば電子機器等のような製品を梱包する段ボール箱等の二重包装ケースに関し、特に内箱の蓋部の開閉機構に関するものである。
【背景技術】
【０００２】
従来、紙製又は段ボール製の二重包装ケースが広く用いられている。このような二重包装ケースの斜視図を図７に示す。図７に示すように、包装ケース１００は、内箱１０と、内箱１０を収納した外箱２０から構成されている。内箱１０は、収納上面が開口した箱体１１と、箱体１１の開口端の一辺に延設された蓋部１２と、を有し、蓋部１２を閉じたとき蓋部１２の自由端を折り曲げて形成された差し込み部１２ａを箱体１１の開口１４の内側に差し込むことにより、蓋部２２を閉状態に保持可能となっている。
【０００３】
一方、外箱２０は、収納上面が開口した箱体２１と、箱体２１の開口２２の開口端の４辺にそれぞれ延設されたフラップ２３ａ、２３ｂ、２３ｃ、２３ｄを有している。フラップ２３ａは箱体２１の前面側、フラップ２３ｂは左側面側、フラップ２３ｃは背面側、フラップ２３ｄは右側面側にそれぞれ設けられている。そして、例えば、フラップ２３ｂ及び２３ｄを各開口端から内側へ折り曲げ、次にフラップ２３ａ及び２３ｃを各開口端から内側へ折り曲げ、フラップ２３ｂ及び２３ｄに重ね合わせた後、フラップ２３ａ及び２３ｃを適宜固定することにより、フラップ２３ａ〜２３ｄを閉状態に保持可能となっている。
【０００４】
このような二重包装ケースにおいては、外箱２０を開梱した後、外箱２０に収納された状態のまま内箱１０を開梱する際、蓋部１２を引き出すことが困難である。一方、例えば内箱として図８に示すような箱が用いられることもある。図８は、蓋部を開け易くした内箱の斜視図である。図８に示すように、内箱１０の蓋部１２を引き出し易くするため、蓋部１２における差し込み部１２ａの折り曲げ線を跨いで、折り曲げ線方向中央部に円形状の切り抜き孔１２ｂが形成され、差し込み部１２ａと重なる内箱１０の側面上端には、切り抜き孔１２ｂと対面する位置に円弧状の切り抜き部１５が形成されている。
【０００５】
かかる内箱１０を外箱２０に収納した場合、切り抜き１２ａを手指で引っ掛けることにより開け易くはなる。しかし、内箱１０の側面が外箱２０の側面と重なっているため、蓋部１２を引き出す際、内箱１０を外箱２０に収納したままでは内箱１０の側面に形成された空孔を利用することはできず、手指の動きも制限される。このように、従来の二重包装ケースにおいては、内箱の蓋部１２を開封し難いという問題点があった。
【０００６】
なお、蓋部の開封を容易にする方法としては、例えば特許文献１には、電子機器、マニュアルやＡＣコード等の付属物を梱包収納する梱包箱において、梱包箱側面に手掛け用穴部を形成すると共に、梱包状態で付属物を挿入できる蓋を手掛け用穴部長手方向延長上に形成し、かかる手掛け用穴部と蓋の一部に使用時に開くミシン目を設け、蓋部のミシン目のピッチを手掛け用穴部のミシン目のピッチより大きくすることによって、運搬のためによく用いられる手掛け用穴部は開け易くし、通常は使用しない蓋は開き難くする技術が開示されている。
【特許文献１】特開平１０−３１４７７号公報
【発明の開示】
【発明が解決しようとする課題】
【０００７】
しかし、特許文献１は、梱包箱の強度を低下させることなく蓋を開封し易くするためにミシン目を形成するための技術であり、かかる特許文献１には、内箱を開け易くするための技術は開示されていない。
【０００８】
本発明は、上記問題点に鑑み、簡単な構成で、内箱を容易に開けることが可能な二重包装ケースを提供することを目的とする。
【課題を解決するための手段】
【０００９】
上記目的を達成するために本発明は、少なくとも一面が開口した第１の箱体と、該第１の箱体の開口端の一辺に延設される開閉可能な蓋部を有する内箱と、該内箱を収納可能な第２の箱体と、該第２の箱体の開口端に折り線を介して開閉可能に延設されたフラップと、を有する外箱と、から成る二重包装ケースにおいて、内箱側面を挟んで前記蓋部の自由端と重なる前記外箱の側面上端と、前記フラップと、に跨って略平行な二本の切り込み線を形成することにより、前記フラップを開けたとき前記フラップの折り曲げ方向とは反対側に折り曲げ可能な逆折り部が設けられたことを特徴としている。
【００１０】
また本発明は、前記内箱は、前記蓋部の自由端と重なる前記第１の箱体の開口端に形成され前記蓋部の開放を規制可能な差し込み片を備え、前記逆折り部は、前記差し込み片と重なる位置に前記差し込み片より大きく形成されたものであり、且つ、前記逆折り部には指掛け孔が形成されたことを特徴としている。
【００１１】
また本発明は、前記指掛け孔は、前記逆折り部において前記外箱上端と前記フラップとに跨って形成されたことを特徴としている。
【００１２】
また本発明は、前記逆折り部は略矩形状であり、前記折り線と垂直な二辺を前記切り込み線とすることを特徴としている。
【発明の効果】
【００１３】
本発明の第１の構成によれば、外箱の側面上端とフラップとに跨って形成された逆折り部を外側に起こして突出させることによって、内箱の側面上端における外側周辺に、手指を挿入して作業することが可能なスペースを設けることができる。これにより、内箱を開封する際、手指が外箱の側面に衝突すること等を回避することができ、簡単な構成で、内箱を容易に開けることが可能となる。また、上記スペースを利用した内箱の開閉機構の設計を行うこともでき、内箱設計の自由度を大きくすることもできる。
【００１４】
また、本発明の第２の構成によれば、上記第１の構成の二重包装ケースにおいて、側面上端に形成された差し込み片により蓋部の開放を規制可能な内箱を用い、かかる差し込み片と重なる外箱の側面上端に差し込み片より大きく逆折り部を形成し、且つ逆折り部に指掛け孔を設けることにより、指掛け孔に指を引っ掛けて引き出すという、より簡単な作業で逆折り部を外側から引き起こすことができる。加えて、内箱の差し込み片を引き出すためのスペースも形成することができるため、内箱を外箱から取り出すことなく、容易に蓋部のロック解除を行うこともできる。
【００１５】
また、本発明の第３の構成によれば、上記第２の構成の二重包装ケースにおいて、指掛け孔を外箱の側面上端とフラップとに跨る位置に形成することにより、外箱の外側から指掛け孔に手指を通したとき、その指先で内箱の差し込み片を引っ掛け易くなり、逆折り部と共に差し込み片を引き出すことが容易となる。これにより、一層容易に内箱のロック解除を行うことができる。
【００１６】
また、本発明の第４の構成によれば、上記第１〜第３のいずれかの構成の二重包装ケースにおいて、外箱の逆折れ部を略矩形状に形成し、フラップの折り線と垂直な二辺を切り込み線とすることによって、逆折り部の面積を最小限にすることができ、逆折り部を引き出す力を小さくすることもできる等、より簡単に逆折り部を形成することができる。
【発明を実施するための最良の形態】
【００１７】
以下に本発明の実施形態を図面を参照して説明する。図１は、本発明の一実施形態に係る二重包装ケースの構成を示す斜視図である。また、図２は、本実施形態に用いられる内箱を示す斜視図であり、図２（ａ）は内箱の蓋部を開けた状態を示す図であり、図２（ｂ）は蓋部を閉めた状態を示す図である。また、図３（ａ）は、本実施形態に用いられる外箱のフラップを開けた状態を示す斜視図であり、図３（ｂ）はその正面図である。従来例の図７及び図８と共通する部分には同一の符号を付して説明を省略する。
【００１８】
図１に示すように、二重包装ケースは内箱１０と、内箱１０を収納する外箱２０とから構成される。図２（ａ）及び図２（ｂ）に示すように、内箱１０の蓋部１２の自由端の中央部には、差し込み部１２ａが形成され、かかる差し込み部１２ａの折り曲げ線に沿って中央部には、直線状の切り込み部１６が形成され、切り込み部１６の中央部には、差し込み部１２ａの折り曲げ線を跨いで円弧状に切り抜かれた切り抜き孔１７が形成されている。
【００１９】
また、内箱１０の差し込み部１３と重なる箱体１１（第１の箱体）の側面上側には、切り込み部１６に差し込むことができるよう、略矩形状の差し込み片１８が形成されている。差し込み片１８の自由端は箱体１１の開口端から延設され、かかる延設部を折り曲げて切り込み部１６に挿入可能なように形成されている。また、切り抜き孔１７は、差し込み片１８が切り欠き部１６に差し込まれた状態では、円弧状の切り欠き部として内箱１０の上面に現れている。
【００２０】
蓋部１２を開ける場合は、図２（ａ）において、切り抜き部１７を通して差し込み片１８に手指を掛け、差し込み片１８を外側に引き出すことによって、蓋部１２と箱体１１とのロックが解除される。そして、切り欠き孔１７に手指を引っ掛けて蓋部１２を持ち上げることにより、図２（ｂ）に示すように、蓋部１２を開封することができる。
【００２１】
また、図３に示すように、外箱２０には、内箱１０の差し込み部１２ａと重なる箱体２１（第２の箱体）の側面上端中央部と、箱体２１の開口端の前面側の辺から延設されたフラップ２３ａと、に跨って、略矩形状の逆折り部２４が形成されている。逆折り部２４は、フラップ２３ａの折り線２３ａａと略垂直に形成された２本の切り込み線２４ａによって囲まれており、逆折り部２４を内側から押し込む、或いは外側から引っ張ることによって、逆折り部２４の上端及び下端の折り曲げ線２４ａを介して外箱２０に支持された状態で、フラップ２３ａの折り曲げ方向とは反対側に、逆折り部２４を折り曲げ、外側に突出させることができる。
【００２２】
また、逆折り部１３の中央部には、外箱２０の側面上端からフラップ２３ａに跨って、手指を差し込むことが可能な、円形状の指掛け孔２４ｃが設けられている。指掛け孔２４ｃは、外箱２０の外側から指掛け孔２４ｃに手指を差し込み、外箱２０の外側に向かって引っ張ることにより、逆折り部２４を外側に引き起こすことができるよう形成されている。
【００２３】
次に、図４、図５及び図６を用いて本実施形態の二重包装ケースの開封操作を説明する。図４は、本実施形態に用いられる逆折り部の指掛け孔に手指を差し込んだ状態を示す部分拡大図である。また、図５（ａ）は、本実施形態に用いられる逆折り部が引き起こされた状態を示す斜視図であり、図５（ｂ）はその左側面図である。また、図６は、本実施形態に用いられる内箱の開封動作を左上方から見た斜視図であり、図６（ａ）は、差し込み片が引き出された状態を示す図であり、図６（ｂ）は、内箱の蓋部を引き出す状態を示す図である。
【００２４】
外箱２０を開封し、図４に示すように、外箱２０の外側から指掛け孔２４ｃに手指を差し込み、これを引っ掛けて外側へ引っ張ると、図５（ａ）及び図５（ｂ）に示すように、逆折り部２４は、２つの折り曲げ線２４ａに沿って谷折りされ、且つフラップ２３ａの折り線２３ａａ（図３（ｂ）参照）に沿って、フラップ２３ａの折り曲げ方向（谷折り）とは反対側に折り曲げられ（山折り）、箱体２１及びフラップ２３ａから外側に突出する。これにより、内箱１０の差し込み片１８の外側周辺に、逆折り部２４が外側に逃げた分だけスペースが形成され、図６（ａ）に示すように差し込み片１８を外側に引き出すことが可能になる。
【００２５】
そして、図６（ｂ）に示すように、切り抜き孔１７に手指を引っ掛けて、蓋部１２を引き出すことによって、内箱１０を開封することができる。この際、切り欠き部１７の外側周辺に十分なスペースがあるため、切り抜き孔１７に差し込んでいない手指等をかかるスペースに挿入しながら蓋部１２を引き出す作業を行うこともできる。
【００２６】
このように、逆折り部２４を設けることによって、内箱１０を取り出すことなく、容易に蓋部１２のロック解除が可能となる。また、内箱１０も開け易くなる。さらに、指掛け孔２４ｃを外箱２０の側面上端からフラップ２３ａに跨って形成したため、指掛け孔２４ｃに手指を挿入し、その指先で差し込み片１８を引っ掛けて、逆折り部２４と共に外側に引き出すことも可能である。これにより、作業性がより向上する。
【００２７】
本実施形態では、蓋部１２のロック機構を有する内箱１０を用いたが、内箱１０は本実施形態に特に限定されるものではない。例えば、前述した図８に示すような、差し込み片１８を有さず、差し込み部１２ａの折り曲げ線を跨いで円形状の切り抜き孔１７が形成され、切り抜き１７と重なる内箱１０の側面上端に円弧状の切り抜きを形成した内箱１０を用いることもできる。この場合であっても、逆折り部２４を引き起こすことによって、蓋部１２を開ける際、切り抜き孔１７の内箱側面側にも手指を差し込むことができる。また、逆折り部２４を引き起こして形成されたスペースに手指を移動させることができるため、開封動作が容易になる。従って、内箱１０を開け易くすることができる。
【００２８】
また、本実施形態では、上記実施形態では内箱１０の蓋部１２の差し込み部１２ａを自由端の中央部に形成したが、差し込み部１２ａの幅や配置は適宜設計することができ、例えば、自由端全幅に亘って設けることもできる。また、本実施形態では、内箱１０の差し込み片１８及び逆折り部２４をそれぞれ上記側面上端の中央部に配設したが、これらの配置は特に限定されるものではなく、上記側面上端の所定位置に適宜設計することができる。
【００２９】
また、本実施形態では、外箱２０の逆折り部２４に指掛け孔２４ｃを設けたため、かかる指掛け孔２４ｃに手指を挿入し、これを引き起こすという簡単な作業だけで、逆折り部２４を外箱２０の外側に引き起こすことができる。しかし、かかる指掛け孔２４ｃを形成しなくても、例えば逆折り部２４を内側から押圧することによっても、逆折り部２４を外側へ起こすことができる。また、ここでは、指掛け孔２４ｃを円形状としたが、手指を挿入することができれば、形状や大きさは特に限定されるものではなく、適宜設計することができる。
【００３０】
また、本実施形態では、指掛け部２４ｃを、逆折り部２４において外箱２０側面上端とフラップ２３ａとに跨って形成することによって、指掛け部２４ｃに手指を通したまま内箱１０の差し込み片１８を外側に引き出すことができ、作業性を向上させることができる。しかし、指掛け孔２４ｃの配置は特に限定されるものではなく、手指を挿入して指掛け孔２４ｃに引っ掛けることができる位置となるよう、適宜設計することができる。
【００３１】
また、本実施形態では、外箱２０の逆折り部２４を略矩形状に形成し、フラップ２３ａの折り線２３ａａと垂直な二辺を切り込み線２４ａで形成することによって、逆折り部の面積を最小限にすることができ、逆折り部を引き出す力を小さくすることもできる等、より簡単に逆折り部を形成することができる。しかし、二本の切り込み線２４ａの配置は、特に限定されるものではなく、例えば、折り線２３ａａに対して斜めに形成したり、ハの字状に形成する等もでき、その他、内箱の開閉機構等に応じて適宜設定することができる。
【００３２】
また、切り込み線２４ａとして、例えば、ミシン目を形成することもできる。かかる場合、指掛け孔２４ｃに手指を引っ掛けて外側に引っ張ることによって、ミシン目を破断し、逆折り部２４を外側に引き起こすことができる。
【００３３】
その他本発明は、上記実施形態に限定されず、本発明の趣旨を逸脱しない範囲で種々の変更が可能である。例えば上記実施形態においては、内箱１０の箱体１１の上端に開口１４が設けられており、蓋部１２も上端一箇所に設けているが、箱体１１の上下に開口を設けて上下二箇所に蓋部１２を設け、外箱２０のフラップ及び逆折れ部も内箱１０の蓋部１２と対応するよう上下二箇所に設けても良い。
【産業上の利用可能性】
【００３４】
本発明は、少なくとも一面が開口した第１の箱体と、該第１の箱体の開口端の一辺に延設される開閉可能な蓋部を有する内箱と、該内箱を収納可能な第２の箱体と、該第２の箱体の開口端に折り線を介して開閉可能に延設されたフラップと、を有する外箱と、から成る二重包装ケースにおいて、内箱側面を挟んで前記蓋部の自由端と重なる前記外箱の側面上端と、前記フラップと、に跨って略平行な二本の切り込み線を形成することにより、前記フラップを開けたとき前記フラップの折り曲げ方向とは反対側に折り曲げ可能な逆折り部が設けられたものである。
【００３５】
これにより、内箱を開封する際、手指が外箱の側面に衝突すること等を回避することができ、簡単な構成で、内箱を容易に開けることが可能となる。また、上記スペースを利用した内箱の開閉機構の設計を行うこともでき、内箱設計の自由度を大きくすることもできる。
【００３６】
また、側面上端に形成された差し込み片により蓋部の開放を規制可能な内箱を用い、かかる差し込み片と重なるよう、且つこれより大きく逆折り部を形成すると共に、逆折り部に指掛け孔を設けることにより、より簡単な作業で逆折り部を外側から引き起こすことができる。また、内箱のロック解除を行うこともでき、逆折り部と共に差し込み片を引き出すこともできる。
【００３７】
特に、指掛け孔を外箱の側面上端とフラップとに跨る位置に形成することにより、逆折り部と共に差し込み片を引き出し易くなり、一層容易に内箱のロック解除を行うことができる。また、外箱の逆折れ部を略矩形状に形成し、フラップの折り線と垂直な二辺を切り込み線とすることによって、より簡単に逆折れ部を形成することができる。
【図面の簡単な説明】
【００３８】
【図１】は、本発明の一実施形態に係る二重包装ケースの構成を示す斜視図である。
【図２】は、本実施形態に用いられる内箱を示す斜視図であり、図２（ａ）は内箱の蓋部を開けた状態を示す図であり、図２（ｂ）は蓋部を閉めた状態を示す図である。
【図３】は、本実施形態に用いられる外箱を示す図であり、図３（ａ）は外箱のフラップを開けた状態を示す斜視図であり、図３（ｂ）は正面図である。
【図４】は、本実施形態に用いられる逆折り部の指掛け孔に手指を差し込んだ状態を示す部分拡大図である。
【図５】は、本実施形態に用いられる逆折り部が外側へ引き起こされた状態を示す図であり、図５（ａ）は斜視図であり、図５（ｂ）は左側面図である。
【図６】は、本実施形態に用いられる内箱の開封動作を示す左上方から見た部分拡大図であり、図６（ａ）は、内箱の差し込み片が引き出された状態を示す図であり、図６（ｂ）は、内箱の蓋部を引き出す状態を示す図である。
【図７】は、従来の二重包装ケースの構造を示す斜視図である。
【図８】は、従来の二重包装ケースに用いられる内箱の他の構造を示す斜視図である。
【符号の説明】
【００３９】
１０              内箱
１１              箱体（第１の箱体）
１２              蓋部
１２ａ            差し込み部
１４              開口
１６              切り込み部
１７              切り抜き孔
１８              差し込み片
２０              外箱
２１              箱体（第２の箱体）
２２              開口
２３ａ〜２３ｄ    フラップ
２３ａａ          折り線
２４              逆折り部
２４ａ            切り込み線
２４ｂ            折り曲げ線
２４ｃ            指掛け孔
１００            二重包装ケース
【図１】
0005011030.tif 000002
【図２】
0005011030.tif 000003
【図３】
0005011030.tif 000004
【図４】
0005011030.tif 000005
【図５】
0005011030.tif 000006
【図６】
0005011030.tif 000007
【図７】
0005011030.tif 000008
【図８】
0005011030.tif 000009